(57)【特許請求の範囲】
【請求項１】
界面活性剤を含む原液と液化ガスとからなるエアゾール組成物が、エアゾールバルブを備えるエアゾール容器に充填されているエアゾール製品であり、
前記エアゾール容器には、粒状の多孔性セルロースがさらに収容されており、
前記多孔性セルロースの粒径は、１〜１０ｍｍであり、
前記エアゾール組成物中の液体組成物は、
前記エアゾールバルブが閉止状態にあるときは前記多孔性セルロースに吸着されており、
前記エアゾールバルブが開放状態にあるときは前記多孔性セルロースから脱着され、前記エアゾール容器内で発泡してから噴射される、エアゾール製品。
【請求項２】
前記エアゾール組成物は、前記多孔性セルロースの飽和吸着量以下となるよう前記エアゾール容器に充填される、請求項１記載のエアゾール製品。
【請求項３】
前記エアゾール容器は、透光性材料からなる容器本体を備え、
前記多孔性セルロースは、前記容器本体に収容されている、請求項１または２記載のエアゾール製品。
【発明の詳細な説明】
【技術分野】
【０００１】
本発明は、エアゾール製品に関する。より詳細には、本発明は、飛び散りを防止しながらフォーム状の噴射物を噴射することのできるエアゾール製品に関する。
【背景技術】
【０００２】
従来、泡状物を吐出するエアゾール式泡状物吐出容器が知られている（特許文献１）。また、特許文献２には、ジメチルエーテルを噴射剤保持用の吸収体に吸収させ、ジメチルエーテルの気化ガスのみを噴射する除塵ブロワーが開示されている。
【先行技術文献】
【特許文献】
【０００３】
【特許文献１】実開平２−４５１６１号公報
【特許文献２】特開２００９−１１３８１３号公報
【発明の概要】
【発明が解決しようとする課題】
【０００４】
特許文献１に記載の容器は、使用後に泡状物がノズル吐出口からはみ出してくる、いわゆるアフタードローを防止するために、ノズルの吐出口に、中央部に切れ込みを設けた弾性蓋が嵌着されている。しかしながら、アフタードローを防止するためには使用後にノズル内に残留する残留物を密閉する必要がある。そのため、特許文献１に記載の容器は、ノズル内に残留物が残留した状態で保管されると、残留物が腐りやすく、かえって不衛生になる。また、特許文献２に記載の防塵ブロワーは、ジメチルエーテルが液体状態で噴射されないように吸収体に保持させておくことを特徴とする。そのため、そもそも特許文献２の防塵ブロワーは、フォーム状の噴射物を噴射するものではない。
【０００５】
本発明は、このような従来の問題に鑑みてなされたものであり、飛び散りを防止しながらフォーム状の噴射物を噴射することのできるエアゾール製品を提供することを目的とする。
【課題を解決するための手段】
【０００６】
上記課題を解決する本発明のエアゾール製品には、以下の構成が主に含まれる。
【０００７】
（１）界面活性剤を含む原液と液化ガスとからなるエアゾール組成物が、エアゾールバルブを備えるエアゾール容器に充填されているエアゾール製品であり、前記エアゾール容器には、粒状の多孔性セルロースがさらに収容されており、前記エアゾール組成物中の液体組成物は、前記エアゾールバルブが閉止状態にあるときは前記多孔性セルロースに吸着されており、前記エアゾールバルブが開放状態にあるときは前記多孔性セルロースから脱着され、前記エアゾール容器内で発泡してから噴射される、エアゾール製品。
【０００８】
このような構成によれば、エアゾール組成物中の液体組成物は、エアゾールバルブが閉止状態であるとき、多孔性セルロースに吸着されている。また、エアゾール組成物は、エアゾールバルブが開放状態であるとき、液体組成物として多孔性セルロースから脱着される。脱着された液体組成物は、エアゾール容器内で発泡する。そのため、エアゾール製品は、エアゾール容器内において液体組成物をフォーム状に発泡させた後に噴射することができる。その結果、噴射時の勢いが弱められ、噴射されたエアゾール組成物は、飛び散りにくい。
【０００９】
（２）前記エアゾール組成物は、前記多孔性セルロースの飽和吸着量以下となるよう前記エアゾール容器に充填される、（１）記載のエアゾール製品。
【００１０】
このような構成によれば、液体組成物は、ほとんど全量がエアゾール容器内で多孔性セルロースに吸着される。そのため、噴射時の飛び散りがより一層抑制される。
【００１１】
（３）前記エアゾール容器は、透光性材料からなる容器本体を備え、前記多孔性セルロースは、前記容器本体に収容されている、（１）または（２）記載のエアゾール製品。
【００１２】
このような構成によれば、エアゾール製品は、エアゾールバルブが閉止状態から開放状態に切り替えられると、粒状の多孔性セルロースから液体組成物が脱着して発泡する様子を目視で確認することができる。また、エアゾール製品は、噴射状態から非噴射状態に切り替えられると、発泡した液体組成物が再度多孔性セルロースに吸着される様子を目視で確認することができる。そのため、エアゾール製品は、趣向性が高く、かつ、エアゾール組成物の残量が直感的に把握されやすい。
【発明の効果】
【００１３】
本発明によれば、飛び散りを防止しながらフォーム状の噴射物を噴射することのできるエアゾール製品を提供することができる。
【図面の簡単な説明】
【００１４】
【図１】図１は、本発明の一実施形態のエアゾール製品の模式的な側面図である。
【発明を実施するための形態】
【００１５】
本発明の一実施形態のエアゾール製品は、界面活性剤を含む原液と液化ガスとからなるエアゾール組成物がエアゾールバルブを備えるエアゾール容器に充填されている。エアゾール製品は、エアゾール組成物を噴射する噴射状態（エアゾールバルブが開放された状態、開放状態ともいう）と非噴射状態（エアゾールバルブが閉止された状態、閉止状態ともいう）とが切り替えて使用される。エアゾール組成物は、エアゾール容器内において、少なくとも一部が液体状態で存在し（液体組成物）、残部がエアゾール容器の気相部分を構成する気体状態で存在する。また、容器本体には、粒状の多孔性セルロースが収容されている。閉止状態において、液体組成物は、多孔性セルロースに吸着される。また、開放状態において、液体組成物は、多孔性セルロースから脱着され、エアゾール容器内で発泡してから噴射される。以下、それぞれの構成について説明する。
【００１６】
［多孔性セルロース］
多孔性セルロースは、多孔性の球状（粒状）セルロース粒子であり、たとえば木材パルプを原料として製造される。このように、多孔性セルロースは、単一の球状セルロース粒子に多数の細孔が形成された構造であり、たとえばセルロース繊維の集合体とは構造が異なる。多孔性セルロースは、エアゾール容器内に、後述するエアゾール組成物とともに収容される。多孔性セルロースは、エアゾールバルブが閉止されることによりエアゾール容器内が加圧された状態（この状態において、エアゾール容器内は、エアゾール組成物中の液化ガスの飽和蒸気圧となる）において、液体組成物（液体状態の液化ガスや、原液（界面活性剤、各種有効成分等））を吸着することができる。また、多孔性セルロースは、エアゾールバルブが開放されることにより大気と連通し、エアゾール容器内の圧力が充填された液化ガスの飽和蒸気圧よりも低下した状態において、吸着していた液体組成物を脱着することができる。
【００１７】
多孔性セルロースの飽和吸着量は、エアゾール組成物に対して１〜１０ｍｌ／ｇであることが好ましい。飽和吸着量が１ｍｌ／ｇ未満の場合、エアゾール組成物の吸着量が少なくなり、噴射できるエアゾール組成物の容量が少なくなる傾向がある。一方、飽和吸着量が１０ｍｌを超える場合、噴射されずに多孔性セルロース中に残留するエアゾール組成物の量が多くなる傾向がある。
【００１８】
エアゾール容器に収容される多孔性セルロースの充填量は、特に限定されない。多孔性セルロースの充填量は、上記した飽和吸着量と、吸着すべき液体組成物の量とに基づいて適宜決定される。
【００１９】
それぞれの多孔性セルロースの粒径は特に限定されない。多孔性セルロースの粒径は、１〜１０ｍｍであることが好ましい。粒径が１ｍｍ未満の場合、多孔性セルロースは、バルブに詰まりやすい。一方、粒径が１０ｍｍを超える場合、液体組成物は、多孔性セルロースへの吸着および多孔性セルロースからの脱着に時間がかかる傾向がある。
【００２０】
［エアゾール組成物］
エアゾール組成物は、界面活性剤を含む原液と、液化ガスとからなり、エアゾールバルブが閉止された状態において、エアゾール容器に加圧状態で充填される成分である。
【００２１】
（原液）
原液は、後述するエアゾール製品のエアゾール容器に充填された状態において多孔性セルロースに吸着される成分であり、界面活性剤と溶媒とを含む。原液は、エアゾールバルブが開放された状態において液化ガスとともに多孔性セルロースから脱着されると、液化ガスの気化熱により冷却される。
【００２２】
（界面活性剤）
界面活性剤は、エアゾール容器内で原液と液化ガスとを乳化または分散させるための成分である。界面活性剤により乳化または分散されたエアゾール組成物は、噴射時に多孔性セルロースから脱着され、エアゾール容器内で原液を発泡させる。
【００２３】
界面活性剤としては、たとえば、ポリオキシエチレンポリオキシプロピレンアルキルエーテル、ポリオキシエチレンアルキルエーテル、ポリオキシエチレン脂肪酸エステル、ポリオキシエチレンソルビタン脂肪酸エステル、グリセリン脂肪酸エステル、ポリオキシエチレングリセリン脂肪酸エステル、ソルビタン脂肪酸エステル、ポリオキシエチレンソルビタン脂肪酸エステル、ポリオキシエチレンソルビット脂肪酸エステル、ポリグリセリン脂肪酸エステル、ポリオキシエチレン硬化ヒマシ油などの非イオン性界面活性剤、アルキルリン酸塩、アルキル硫酸塩、ＰＯＥアルキルエーテル硫酸塩などのアニオン性界面活性剤、ラウリルベタインなどの両性界面活性剤、ポリオキシエチレン・メチルポリシロキサン共重合体などのシリコーン系界面活性剤、天然系界面活性剤等が好適に使用される。
【００２４】
ポリオキシエチレンポリオキシプロピレンアルキルエーテルとしては、ＰＯＥ・ＰＯＰセチルエーテル、ＰＯＥ・ＰＯＰデシルテトラデシルエーテル等が例示される。ポリオキシエチレンアルキルエーテルとしては、ＰＯＥセチルエーテル、ＰＯＥステアリルエーテル、ＰＯＥオレイルエーテル、ＰＯＥラウリルエーテル、ＰＯＥベヘニルエーテル、ＰＯＥオクチルドデシルエーテル、ＰＯＥイソセチルエーテル、ＰＯＥイソステアリルエーテル等が例示される。ポリオキシエチレン脂肪酸エステルとしては、ＰＯＥモノラウレート、ＰＯＥモノステアレート、ＰＯＥモノオレエート等が例示される。ポリオキシエチレンソルビタン脂肪酸エステルとしては、ＰＥＧ−２０ソルビタンココエート、ＰＯＥソルビタンモノラウレート、ＰＯＥソルビタンモノステアレート、ＰＯＥソルビタンモノオレエート等が例示される。ポリオキシエチレングリセリン脂肪酸エステルとしては、ＰＯＥグリセリルモノステアレート、ＰＯＥグリセリルモノオレエート等が例示される。ポリオキシエチレンソルビット脂肪酸エステルとしては、ＰＯＥソルビットモノラウレート、ＰＯＥソルビットテトラステアレート、ＰＯＥソルビットテトラオレエート等が例示される。ポリグリセリン脂肪酸エステルとしては、デカグリセリルモノラウレート、デカグリセリルモノミリステート、デカグリセリルモノステアレート、デカグリセリルモノオレエート、デカグリセリルジオレエート、ヘキサグリセリルモノラウレート、ヘキサグリセリルモノステアレート、ヘキサグリセリルモノオレエート等が例示される。ポリオキシエチレン硬化ヒマシ油としては、ＰＥＧ−４０水添ヒマシ油、ＰＥＧ−６０水添ヒマシ油、ＰＥＧ−８０水添ヒマシ油等が例示される。シリコーン系界面活性剤としては、ポリオキシエチレン・メチルポリシロキサン共重合体、ポリオキシプロピレン・メチルポリシロキサン共重合体、ポリ（オキシエチレン・オキシプロピレン）・メチルポリシロキサン共重合体等が例示される。天然系界面活性剤としては、サーファクチンナトリウム、シクロデキストリン、レシチン等が例示される。
【００２５】
界面活性剤の含有量としては特に限定されず、噴射状態において液体組成物をエアゾール容器内で発泡させることのできる量であればよい。このような含有量としては、原液中０．５質量％以上であることが好ましく、１質量％以上であることがより好ましい。また、界面活性剤の含有量は、原液中２０質量％以下であることが好ましく、１０質量％以下であることがより好ましい。界面活性剤の含有量が０．５質量％未満の場合、液体組成物は、噴射状態においてエアゾール容器内での発泡が小さく、外部に噴射される際にフォームを形成しにくい。一方、界面活性剤の含有量が２０質量％を超える場合、エアゾール組成物が適用箇所に噴射された後に、界面活性剤が適用箇所上に残りやすく、べたつくなど使用感が悪くなる傾向がある。
【００２６】
（溶媒）
溶媒は、非噴射状態において界面活性剤や液化ガスと同様に多孔質セルロースに吸着され、噴射状態においてはエアゾール組成物中の液化ガスが気化することにより発泡する。溶媒としては、水、２５℃において液状である液状油等が例示される。
【００２７】
溶媒としては、精製水、イオン交換水、生理食塩水、海洋深層水等の水、ミリスチン酸イソプロピル、ミリスチン酸イソステアリル、パルミチン酸オクチル、ステアリン酸オクチル、オレイン酸オクチルドデシル、イソステアリン酸エチル、イソオクタン酸セチル、ジオクタン酸エチレングリコール、ジオレイン酸エチレングリコール、ジカプリル酸プロピレングリコール、ジオレイン酸プロピレングリコール、トリカプリル酸グリセリル、トリ（カプリル・カプリン酸）グリセリル、トリイソステアリン酸グリセリル、トリ２−エチルへキサン酸トリメチロールプロパン、ネオペンタン酸オクチルドデシル、ジメチルオクタン酸ヘキシルデシル、乳酸セチル、クエン酸トリエチル、コハク酸ジオクチル、アジピン酸ジイソプロピル、コハク酸ジエトキシエチル等のエステル油、オリーブ油、アボガド油、ツバキ油、マカデミアナッツ油、トウモロコシ油、ナタネ油、ヒマシ油、アマニ油、サフラワー油、ホホバ油、麦芽油、ヤシ油、パーム油等の油脂ケロシン、流動パラフィン、スクワレン、スクワラン、イソパラフィン等の炭化水素、メチルポリシロキサン、メチルフェニルポリシロキサン、メチルハイドロジェンポリシロキサン等のシリコーンオイル等の２５℃で液状である液状油等が例示される。
【００２８】
溶媒の含有量は、原液中６０質量％以上であることが好ましく、７０質量％以上であることがより好ましく、８０質量％以上であることがさらに好ましい。また、溶媒の含有量は、原液中９９．５質量％以下であることが好ましく、９９．０質量％以下であることがより好ましく、９８．０質量％以下であることがさらに好ましい。溶媒の含有量が６０質量％未満の場合、多孔質セルロースに吸着される溶媒の量が少ないため噴射状態にした際に発泡しにくくなる傾向がある。一方、溶媒の含有量が９９．５質量％を超える場合、界面活性剤や適宜含有される任意成分を適切に含有させにくくなる傾向がある。
【００２９】
（任意成分）
次に、本実施形態に用いられる原液は、上記した成分以外にも、種々の任意成分が適宜含有されてもよい。たとえば、界面活性剤と溶媒以外にも、１価アルコール、多価アルコール、水溶性高分子、有効成分等が含有されてもよい。
【００３０】
（１価アルコール）
１価アルコールは、水に溶解しない有効成分などの溶媒として、発泡性を調整するために適宜含有される。１価アルコールとしては、エタノール、イソプロパノール等の炭素数が２〜５個の１価アルコールが例示される。
【００３１】
１価アルコールを含有する場合の含有量としては、原液中０．１質量％以上であることが好ましく、０．５質量％以上であることが好ましい。また、１価アルコールの含有量は、原液中３０質量％以下であることが好ましく、２５質量％以下であることがより好ましい。１価アルコールの含有量が０．１質量％未満の場合、１価アルコールを含有する効果が得られにくい。一方、１価アルコールの含有量が３０質量％を超える場合、噴射時に液体組成物が発泡しにくくなる傾向がある。
【００３２】
（多価アルコール）
多価アルコールは、発泡性を調整するために適宜含有される。多価アルコールとしては、エチレングリコール、プロピレングリコール、１，３−ブチレングリコール、ジエチレングリコール、ジプロピレングリコールおよびグリセリン等の２〜３価のアルコールが例示される。
【００３３】
多価アルコールを含有する場合の含有量としては、原液中０．１質量％以上であることが好ましく、０．５質量％以上であることがより好ましい。また、多価アルコールの含有量は、原液中２０質量％以下であることが好ましく、１０質量％以下であることがより好ましい。多価アルコールの含有量が０．１質量％未満の場合、多価アルコールを含有する効果が得られにくい。一方、多価アルコールの含有量が２０質量％を超える場合、噴射時に液体組成物が発泡しにくくなる傾向がある。
【００３４】
（水溶性高分子）
水溶性高分子は、原液の粘性を調整し、発泡性を調整し、噴射物の硬さ等を調整するといった目的で適宜含有される。水溶性高分子としては、セルロース系高分子、ガム質等が例示される。セルロース系高分子としては、ヒドロキシエチルセルロース、ヒドロキシプロピルセルロース、ヒドロキシプロピルメチルセルロース等が例示される。ガム質としては、キサンタンガム、カラギーナン、アラビアゴム、トラガントゴム、カチオン化グアガム、グアガム、ジェランガム等が例示される。他にも、水溶性高分子としては、カルボキシメチルデキストランナトリウム、デキストリン、ゼラチン、ペクチン、デンプン、トウモロコシデンプン、コムギデンプン、アルギン酸ナトリウム、変性ポテトスターチ、カルボキシビニルポリマー等が例示される。
【００３５】
水溶性高分子を含有する場合の含有量としては、原液中０．０５質量％以上であることが好ましく、０．１質量％以上であることがより好ましい。また、水溶性高分子の含有量は、原液中５質量％以下であることが好ましく、３質量％以下であることがより好ましい。水溶性高分子の含有量が０．０５質量％未満の場合、水溶性高分子を含有する効果が得られにくい。一方、水溶性高分子の含有量が５質量％を超える場合、液体組成物は、噴射時に多孔質セルロースから脱着されにくく、発泡しにくくなる傾向がある。
【００３６】
（有効成分）
有効成分は、皮膚や頭髪等の適用箇所に所望の効果を付与するために適宜含有される。
【００３７】
有効成分としては、スタイリング剤、清涼剤、鎮痒剤、消炎鎮痛剤、抗真菌剤、収斂剤、抗炎症剤、局所麻酔剤、抗ヒスタミン剤、ビタミン誘導体、血行促進剤、保湿剤、紫外線吸収剤、紫外線散乱剤、殺菌消毒剤、アミノ酸、制汗成分、害虫忌避剤、消臭成分、洗浄剤、トリートメント剤、香料等が例示される。
【００３８】
スタイリング剤としては、ポリビニルアルコール、ビニルピロリドン−酢酸ビニル共重合体、（アクリレーツ／アクリル酸アルキル／メタクリル酸エチルアミンオキシド）コポリマー、ビニルピロリドン／Ｎ，Ｎ−ジメチルアミノエチルメタクリル酸共重合体ジエチル硫酸塩、（アクリル酸オクチルアミド／アクリル酸ヒドロキシプロピル／メタクリル酸ブチルアミノエチル）コポリマー、Ｎ−ビニルピロリドン／メタクリルアミド／Ｎ−ビニルイミダゾール共重合体、（ジメチルアクリルアミド／アクリル酸ヒドロキシエチル／アクリル酸メトキシエチル）コポリマー等が例示される。
【００３９】
清涼剤としては、ｌ−メントール、カンフル、ミントオイル等が例示される。鎮痒剤としては、クロタミトン、ｄ−カンフル等が例示される。消炎鎮痛剤としては、サリチル酸メチル、インドメタシン、ピロキシカム、フェルビナク、ケトプロフェン等が例示される。抗真菌剤としては、オキシコナゾール、クロトリマゾール、スルコナゾール、ビフォナゾール、ミコナゾール、イソコナゾール、エコナゾール、チオコナゾール、ブテナフィンおよびこれらの塩酸塩、硝酸塩、酢酸塩等が例示される。収斂剤としては、アラントインヒドロキシアルミニウム、タンニン酸、クエン酸、乳酸等が例示される。
【００４０】
抗炎症剤としては、アラントイン、グリチルレチン酸、グリチルリチン酸ジカリウム、アズレン等が例示される。局所麻酔剤としては、塩酸ジブカイン、塩酸テトラカイン、リドカイン、塩酸リドカイン等が例示される。抗ヒスタミン剤としては、ジフェンヒドラミン、塩酸ジフェンヒドラミン、マレイン酸クロルフェニラミン等が例示される。ビタミン誘導体としては、塩化カルプロニウム、トコフェロールおよび酢酸トコフェロール等が例示される。血行促進剤としては、トウガラシチンキ、センブリエキス、ニンニクエキス、ニコチン酸ベンジル、ミノキシジル、塩化カルプロニウム等が例示される。
【００４１】
保湿剤としては、コラーゲン、キシリトール、ソルビトール、アロエ抽出液、イチョウエキス、ヒアルロン酸、ヒアルロン酸ナトリウム、乳酸ナトリウム、ＤＬ−ピロリドンカルボン酸塩、尿素等が例示される。紫外線吸収剤としては、ジエチルアミノヒドロキシベンゾイル安息香酸ヘキシル、ジメチルアミノ安息香酸エチルヘキシル、パラアミノ安息香酸、パラアミノ安息香酸エチル、パラジメチルアミノ安息香酸２−エチルヘキシル、サリチル酸エチルヘキシル、メトキシケイ皮酸エチルヘキシル、ジイソプロピルケイ皮酸メチル、オクトクリレン、オキシベンゾン−３、オキシベンゾン−４、ジメトキシベンジリデンジオキソイミダゾリジンプロピオン酸エチルヘキシル、フェニルベンズイミダゾールスルホン酸等が例示される。
【００４２】
紫外線散乱剤としては、酸化チタン、酸化亜鉛等が例示される。殺菌消毒剤としては、パラオキシ安息香酸エステル、安息香酸ナトリウム、ソルビン酸カリウム、フェノキシエタノール、塩化ベンザルコニウム、塩化ベンゼトニウム、塩化クロルヘキシジン等が例示される。アミノ酸としては、グリシン、アラニン、ロイシン、アスパラギン酸、グルタミン酸、アルギニン等が例示される。ビタミン類としては、トコフェロールおよび酢酸トコフェロール、パントテン酸カルシウム、アスコルビン酸リン酸マグネシウム、アスコルビン酸ナトリウム等が例示される。制汗成分としては、クロロヒドロキシアルミニウム、パラフェノールスルホン酸亜鉛、塩化アルミニウム、硫酸アルミニウム、クエン酸アルミニウム、酢酸アルミニウム、フェノールスルホン酸アルミニウム等が例示される。害虫忌避剤としては、Ｎ，Ｎ−ジエチル−ｍ−トルアミド（ディート）、ハーブエキス等が例示される。消臭成分としては、緑茶エキス、柿タンニン、銀等が例示される。
【００４３】
洗浄剤としては、両性界面活性剤、アニオン系界面活性剤、アミノ酸系界面活性剤等が例示される。
【００４４】
両性界面活性剤としては、ベタイン型、アミンオキシド型等が例示される。ベタイン型両性界面活性剤としては、ラウリルジメチルアミノ酢酸ベタイン（ラウリルベタイン）、ステアリルベタイン、ラウリン酸アミドプロピルベタイン、ラウリルヒドロキシスルホベタイン、ステアリルジメチルアミノ酢酸ベタイン、ドデシルアミノメチルジメチルスルホプロピルベタイン、オクタデシルアミノメチルジメチルスルホプロピルベタイン等のアルキルベタイン、ヤシ酸アミドプロピルベタイン、ヤシ油脂肪酸アミドプロピルジメチルアミノ酢酸ベタイン（コカミドプロピルベタイン）、コカミドプロピルヒドロキシスルタイン等の脂肪酸アミドプロピルベタイン等が例示される。アミンオキシド型両性界面活性剤としては、２−アルキル−Ｎ−カルボキシメチル−Ｎ−ヒドロキシエチルイミダゾリニウムベタイン等のアルキルイミダゾール型、ラウロイルグルタミン酸ナトリウム、ラウロイルグルタミン酸カリウム、ラウロイルメチル−β−アラニン等のアミノ酸型、ラウリルジメチルアミンＮ−オキシド、オレイルジメチルアミンＮ−オキシド等が例示される。
【００４５】
アニオン系界面活性剤としては、脂肪酸石鹸、アルキル硫酸塩、ポリオキシエチレンアルキルエーテル硫酸塩、アルキルリン酸塩、ポリオキシエチレンアルキルエーテルリン酸塩等が例示される。アミノ酸系界面活性剤としては、Ｎ−アシルグルタミン酸塩、Ｎ−アシルグルタミン酸、Ｎ−アシルグリシン塩、Ｎ−アシルアラニン塩等が例示される。Ｎ−アシルグルタミン酸塩としては、Ｎ−ヤシ油脂肪酸アシル−Ｌ−グルタミン酸トリエタノールアミン、Ｎ−ヤシ油脂肪酸アシル−Ｌ−グルタミン酸カリウム、Ｎ−ヤシ油脂肪酸アシル−Ｌ−グルタミン酸ナトリウム、Ｎ−ラウロイル−Ｌ−グルタミン酸トリエタノールアミン、Ｎ−ラウロイル−Ｌ−グルタミン酸カリウム、Ｎ−ラウロイル−Ｌ−グルタミン酸ナトリウム、Ｎ−ミリストイル−Ｌ−グルタミン酸カリウム、Ｎ−ミリストイル−Ｌ−グルタミン酸ナトリウムおよびＮ−ステアロイル−Ｌ−グルタミン酸ナトリウム等が例示される。Ｎ−アシルグルタミン酸としては、Ｎ−ヤシ油脂肪酸アシル−Ｌ−グルタミン酸、Ｎ−ラウロイル−Ｌ−グルタミン酸、Ｎ−ステアロイル−Ｌ−グルタミン酸等が例示される。Ｎ−アシルグリシン塩としては、Ｎ−ヤシ油脂肪酸アシルグリシンカリウム、Ｎ−ヤシ油脂肪酸アシルグリシンナトリウム等が例示される。Ｎ−アシルアラニン塩としては、Ｎ−ヤシ油脂肪酸アシル−ＤＬ−アラニントリエタノールアミン等が例示される。
【００４６】
トリートメント剤としては、カチオン性界面活性剤等が例示される。カチオン性界面活性剤としては、塩化ステアリルトリメチルアンモニウム、塩化セチルトリメチルアンモニウム等が例示される。
【００４７】
有効成分が含有される場合の含有量は、原液中０．１質量％以上であることが好ましく、０．５質量％以上であることがより好ましい。また、有効成分の含有量は、原液中３０質量％以下であることが好ましく、２０質量％以下であることがより好ましい。有効成分の含有量が０．１質量％未満の場合、有効成分を含有することによる効果が得られにくくなる傾向がある。一方、有効成分の含有量２０質量％を超える場合、水性原液と液化ガスとが乳化されにくくなる傾向がある。
【００４８】
原液の含有量は、エアゾール組成物中３０質量％以上であることが好ましく、４０質量％以上であることがより好ましい。また、原液の含有量は、エアゾール組成物中９５質量％以下であることが好ましく、９０質量％以下であることが好ましく、特に噴射残量を少なくできるという点から８０質量％以下とすることが好ましい。原液の含有量が３０質量％未満の場合、フォームが粗くなる傾向がある。一方、原液の含有量が９５質量％を超える場合、液体組成物は、発泡しにくくなる傾向がある。
【００４９】
また、原液の充填量は、多孔性セルロースの飽和吸着量以下であることが好ましい。具体的には、溶媒として水が用いられる場合、水の充填量は、多孔性セルロース１ｇに対して７ｍｌ以下であることが好ましい。また、溶媒として液状油が用いられる場合、液状油の充填量は、多孔性セルロース１ｇに対して５ｍｌ以下であることが好ましい。なお、原液は、噴射状態において液体組成物が発泡するために必要な量が含まれていればよい。このような量としては、溶媒として水が用いられる場合、水の充填量は、多孔性セルロース１ｇに対して１ｍｌ以上であることが好ましい。また、溶媒として液状油が用いられる場合、液状油の充填量は、多孔性セルロース１ｇに対して０．５ｍｌ以上であることが好ましい。原液の充填量が多孔性セルロースの飽和吸着量を超える場合、非噴射状態において多孔性セルロースに吸着されていない原液が増える傾向がある。このような場合、エアゾール組成物は、噴射状態において勢いよく噴射され、飛び散りやすい。
【００５０】
＜液化ガス＞
液化ガスは、多孔質セルロースに吸着されていた液体組成物を発泡させるため、フォームをエアゾール容器から押し出すため、フォームの大きさや噴射の勢いを調整する等の目的で含有される。液化ガスは、エアゾール容器に加圧充填された状態において、主に液体状態で存在し、残部が気体状態（気化した液化ガス）として存在する。液体状態の液化ガスは、非噴射状態（エアゾールバルブの閉止状態）では多孔性セルロースに吸着されており、噴射状態（エアゾールバルブの開放状態）では多孔性セルロースから脱着される。脱着された液化ガスは、エアゾール容器内で気化して原液を発泡させる。
【００５１】
液化ガスとしては、プロパン、ノルマルブタン、イソブタンおよびこれらの混合物からなる液化石油ガス、ジメチルエーテル、トランス−１，３，３，３−テトラフルオロプロパ−１−エン（ＨＦＯ−１２３４ｚｅ）、トランス−２，３，３，３−テトラフルオロプロパ−１−エン（ＨＦＯ−１２３４ｙｆ）などのハイドロフルオロオレフィン、およびこれらの混合物等が例示される。なお、液化石油ガスはノルマルブタン、イソブタン、プロパンの配合比率を調整することにより圧力を調整することができるため、噴射時の勢いを調整しやすい。液化ガスは、さらに冷却温度や気化する時間などを調整するためにノルマルペンタン、イソペンタン等の沸点が５〜４０℃である炭化水素が含有されてもよい。
【００５２】
液化ガスの蒸気圧は特に限定されず、たとえば、２０℃での蒸気圧が０．１〜０．６（ＭＰａ）である液化ガスが好ましく、０．１５〜０．５（ＭＰａ）である液化ガスがより好ましい。なお、加圧剤として、窒素、空気、二酸化炭素、亜酸化窒素などの圧縮ガスが用いられてもよい。
【００５３】
液化ガスの含有量は、エアゾール組成物中５質量％以上であることが好ましく、１０質量％以上であることがより好ましく、噴射残量を少なくできるという点から２０質量％以上とすることがさらに好ましい。また、液化ガスの含有量は、エアゾール組成物中７０質量％以下であることが好ましく、６０質量％以下であることがより好ましい。液化ガスの含有量が５質量％未満の場合、液体組成物は、発泡しにくい傾向がある。一方、液化ガスの含有量が７０質量％を超える場合、液体組成物は、フォームが粗くなり、噴射された際に飛び散りやすくなる傾向がある。
【００５４】
また、液化ガスの充填量は、多孔性セルロースの飽和吸着量以下であることが好ましい。具体的には、液化ガスが液化石油ガスである場合、液化石油ガスの充填量は、多孔性セルロース１ｇに対して５ｍｌ以下であることが好ましい。また、液化ガスがジメチルエーテルである場合、ジメチルエーテルの充填量は、多孔性セルロース１ｇに対して４ｍｌ以下であることが好ましい。さらに、液化ガスがハイドロフルオロオレフィンである場合、ハイドロフルオロオレフィンの充填量は、多孔性セルロース１ｇに対して３．５ｍｌ以下であることが好ましい。液化ガスの充填量が多孔性セルロースの飽和吸着量を超える場合、非噴射状態において多孔性セルロースに吸着されていない液体状態の液化ガスが増える。このような発泡していない液体状態の液化ガスは、噴射状態において勢いよく噴射され、飛び散りやすい。
【００５５】
エアゾール組成物全体の説明に戻り、エアゾール組成物の充填量は、多孔性セルロースの飽和吸着量以下であることが好ましい。より具体的には、エアゾール組成物の充填量は、個々の多孔性セルロースの飽和吸着量および比重にもよるが、多孔性セルロース１ｇに対して１〜１０ｍｌであることが好ましい。エアゾール組成物は、充填量が多孔性セルロースの飽和吸着量以下である場合、液体組成物が多孔性セルロースに吸着されやすい。そのため、吸着された液体組成物は、エアゾールバルブが開放されると適宜多孔性セルロースから脱着されやすい。その結果、エアゾール製品は、噴射時の飛び散りがより一層抑制される。また、エアゾール組成物の充填量が１ｍｌ／ｇ未満の場合、噴射できる量が少なくなる傾向がある。一方、エアゾール組成物の充填量が１０ｍｌ／ｇを超える場合、液体組成物は、多孔性セルロースに吸着されずにエアゾール容器内に存在する傾向がある。このような発泡していない液体組成物は、噴射時に勢いよく噴射され、飛び散りやすい。
【００５６】
以上の多孔性セルロースおよびエアゾール組成物は、たとえば容器本体に収容（充填）されてエアゾール製品として利用される。
【００５７】
［エアゾール製品］
本実施形態のエアゾール製品が、図１を参照して説明される。図１は、本実施形態のエアゾール製品１の模式的な側面図である。エアゾール製品１は、容器本体２と、容器本体２に取り付けられるバルブ３と、容器本体２内で発泡したエアゾール組成物を噴射する噴射孔４１が形成された噴射ボタン４とを備える。容器本体２は、多孔性セルロース５が収容され、エアゾール組成物が充填される。エアゾール製品１は、バルブ３によってエアゾール組成物を噴射する噴射状態と、非噴射状態とが切り替えられる。図１に示されるエアゾール製品１は、非噴射状態である。以下、それぞれの構成について説明する。なお、エアゾール製品１の構成は、本実施形態に限定されず、上記多孔性セルロース５およびエアゾール組成物を収容でき、適切に噴射できる構成であればよい。
【００５８】
（容器本体２）
容器本体２は、多孔性セルロース５を収容し、かつ、エアゾール組成物を加圧状態で充填するための容器である。容器本体２は、汎用の形状であってよい。本実施形態の容器本体２は、上部に開口を有する有底筒状である。開口は、多孔性セルロース５や原液を充填するための充填口であり、後述するバルブ３により閉止される。
【００５９】
容器本体２内には、図１に示されるように、多孔性セルロース５が収容されており、エアゾール組成物が充填されている。ただし、非噴射状態において、液体組成物は多孔性セルロース５に吸着されている。
【００６０】
容器本体２の材質は特に限定されない。このような材質としては、アルミニウム、ブリキ等の金属、各種合成樹脂、耐圧ガラス等が例示される。本実施形態の容器本体２は、透光性材料からなることが好ましい。なお、本実施形態において「透光性」とは、容器本体２に収容される多孔性セルロース５を目視で確認できる程度以上の透光性をいう。透光性材料としては、ポリエチレンテレフタレート、ポリブチレンテレフタレートの各種合成樹脂、耐圧ガラス等が例示される。エアゾール製品１は、容器本体２が透光性材料からなる場合、非噴射状態から噴射状態に切り替えられると、多孔性セルロース５から液体組成物が脱着される様子を目視で確認することができる。また、エアゾール製品１は、噴射状態から非噴射状態に切り替えられると、脱着されていた液体組成物が再度多孔性セルロース５に吸着される様子を目視で確認することができる。そのため、エアゾール製品１は、趣向性が高く、かつ、エアゾール組成物の残量が直感的に把握されやすい。
【００６１】
（バルブ３）
バルブ３は、容器本体２の開口に取り付けられて容器本体２内を密封するための部材である。バルブ３は、容器本体２内と外部との連通／遮断を切り替える弁機構（図示せず）を備えている。弁機構は、エアゾール組成物を噴射する噴射状態と、非噴射状態とを切り替える部材である。弁機構は、非噴射状態から噴射状態に切り替えられると、容器本体２内の気密状態を開放し、容器本体２内と外気とを連通させる。これにより、容器本体２内の圧力が下がり、エアゾール組成物は、多孔性セルロース５から脱着される。
【００６２】
また、バルブ３は、弁機構から容器本体２内に液化ガスを圧入することができる。弁機構より圧入される液化ガスは、容器本体２内で加圧され、一部が液体状態となり、残部が気体状態となる。
【００６３】
なお、バルブ３の構造は特に限定されず、汎用のバルブ３が適宜用いられる。たとえば、バルブ３は、下方に押し下げることにより容器本体と外部とを連通するステム孔（図示せず）を有するステム（図示せず）と、ステム孔をシールするステムラバー（図示せず）と、ステムを下方から常時垂直上方向に付勢するスプリング（図示せず）等を備える。このような構成の弁機構によれば、たとえば後述する噴射ボタン４が操作されると、ステムラバーによって閉止されていたステム孔が開放され、容器本体２内と外気とが連通される。
【００６４】
容器本体２にエアゾール組成物を充填する方法は特に限定されない。一例を挙げると、容器本体２の開口から多孔性セルロース５および原液を充填し、バルブ３により開口を閉止し、バルブ３の弁機構から液化ガスを圧入する方法が採用される。ほかにも、バルブ３を固着する前に液化ガスを充填するアンダーカップ充填が採用されてもよい。エアゾール組成物が充填された容器本体２の内圧は、２５℃において０．１〜０．６ＭＰａ程度である。
【００６５】
（噴射ボタン４）
噴射ボタン４は、バルブ３を経て取り込まれた発泡したエアゾール組成物を噴射するための部材である。噴射ボタン４には、エアゾール組成物を噴射するための噴射孔４１が形成されている。噴射ボタン４の先端（噴射孔４１の近傍）には、メカニカルブレークアップ機構を備えたノズルチップが装着されてもよい。
【００６６】
噴射孔４１の大きさ（直径）としては特に限定されない。噴射孔４１の直径は、０．５ｍｍ以上であることが好ましい。また、噴射孔４１の直径は、７．０ｍｍ以下であることが好ましく、５ｍｍ以下であることがより好ましい。噴射孔４１の直径が０．５ｍｍ未満の場合、噴射の途中でエアゾール組成物が凍結し、噴射できなくなる傾向がある。一方、噴射孔４１の直径が７．０ｍｍを超える場合、噴射されたエアゾール組成物が飛び散りやすい。
【００６７】
［エアゾール製品１の使用方法］
次に、本実施形態のエアゾール製品１の使用方法の一例について、図１に加えて表１を適宜参照しながら説明する。図１に示されるように、本実施形態のエアゾール製品１は、非噴射状態において、容器本体２内に充填されたエアゾール組成物のうち、液体組成物が多孔性セルロース５に吸着されている。
【００６８】
【表１】
0006626637.tif 000002
【００６９】
また、本実施形態のエアゾール製品１は、表１に示されるように、非噴射状態（吸着後−噴射前）において、容器本体内において、液体組成物が多孔性セルロースに吸着されている（液体組成物は吸着されており、目視では確認できない）。なお、表１に示されるように、液体組成物が吸着された多孔性セルロース（非噴射状態（吸着後−噴射前））は、液体組成物の吸着前と比較して、幾分膨張し、寸法が大きくなっている。
【００７０】
この状態で噴射ボタン４が使用者により押し下げられると、噴射ボタン４は、バルブ３のステムを下方（容器本体２側）へ押し下げる。これにより、ステム孔が開放され、容器本体２内と外気とが連通する。その結果、容器本体２内の気相部に存在する気体状態の液化ガスが外気に噴射され、容器本体２内の圧力が下がり、多孔性セルロース５に吸着されていたエアゾール組成物が脱着される。脱着されたエアゾール組成物中の界面活性剤を含んだ原液は、原液とともに脱着される液化ガスによって発泡される（表１の噴射状態（脱着後  フォーム形成中）を参照）。このように発泡されたエアゾール組成物は、ステム孔を通って噴射ボタン４に送られ、噴射孔４１からフォーム状に噴射される（表１の噴射状態（フォーム噴射中）を参照）。この際、噴射されるエアゾール組成物は、容器本体２内で発泡しているため、噴射の勢いが弱められる。したがって、エアゾール組成物の噴射物は、飛び散りが防止される。
【００７１】
次いで、噴射ボタン４の押し下げが止められると、ステムは、スプリングにより元位置まで押し上げられ、ステムラバーによって再度ステム孔が閉止される。これにより、容器本体２内と外気とが遮断される。このとき、多孔性セルロース５に吸着されている液体組成物は、飽和吸着量よりも少ない。そのため、容器本体２内で発泡していたエアゾール組成物は、再度多孔性セルロースに吸着される。また、脱着された液化ガスを含むエアゾール組成物によって、容器本体２内の圧力が高められ、容器本体２内は、再び加圧状態となる。その後、脱着された液体組成物は、再度、多孔性セルロース５に吸着される。
【実施例】
【００７２】
以下、実施例により本発明をより具体的に説明する。本発明は、これら実施例に何ら限定されない。
【００７３】
（実施例１）
ポリエチレンテレフタレート製の耐圧容器に、粒状の多孔性セルロース（＊１）８ｇを収容した。また、以下の処方にしたがって調製した原液Ａ２２．５ｇ（２２．５ｍＬ）を充填し、バルブを固着して密封した。次いで、バルブから液化石油ガス（＊２）２．５ｇ（４．４ｍＬ）を充填し、エアゾール製品を製造した。
【００７４】
＜原液Ａ＞
ポリオキシエチレン（２０）ソルビタンモノラウレート（＊３）    １．０
ポリオキシエチレン（２０）ステアリルエーテル（＊４）          １．０
ヤシ油脂肪酸ジエタノールアミド（＊５）                        １．０
メチルパラベン                                                ０．１
精製水                                                      ９６．９
合計                                                      １００．０（質量％）
＊１：ビスコパールＡＨ−４０５０Ｌ（商品名）、レンゴー（株）
＊２：ノルマルブタンとイソブタンとプロパンの混合物（２５℃での蒸気圧が０．４５ＭＰａ）
＊３：ＮＩＫＫＯＬ  ＴＬ−１０（商品名）、日光ケミカルズ（株）
＊４：ＮＩＫＫＯＬ  ＢＳ−２０（商品名）、日光ケミカルズ（株）
＊５：アミゾールＣＤＥ（商品名）、川研ファインケミカル（株）
【００７５】
（実施例２）
使用した原液および液化ガスの割合を表１に示される割合に変更した以外は、実施例１と同様の方法によりエアゾール製品を製造した。
【００７６】
（比較例１）
多孔性セルロースを使用しなかった以外は、実施例１と同様の方法によりエアゾール製品を製造した。
【００７７】
（比較例２）
多孔性セルロースに代えて繊維状セルロースを使用した以外は、実施例１と同様の方法によりエアゾール製品を製造した。
【００７８】
実施例１〜４および比較例１〜２で得られたそれぞれのエアゾール組成物を充填したエアゾール容器に、噴射ボタンをそれぞれ取り付けた。得られたエアゾール製品について、以下の評価方法により、内容物の安定性、噴射状態および残量を評価した。結果を表２に示す。
【００７９】
（内容物の安定性）
エアゾール製品を、それぞれ５℃、２５℃および４０℃の恒温室に３日間保管し、エアゾール容器内の内容物の状態を目視で観察した。
＜評価基準＞
○：いずれの温度においても、液体状態のエアゾール組成物は見られず、多孔性セルロースは粒状のままであった。
△：いずれかの温度において、液体状態のエアゾール組成物が、容器の内面にわずかに付着していた。
×：いずれかの温度において、液体状態のエアゾール組成物が、容器の底部に溜まっていた。
【００８０】
（噴射状態）
エアゾール製品を、２５℃の恒温室に１日間保管し、その後、５秒間噴射したときの状態を目視で観察した。
＜評価基準＞
○  ：エアゾール組成物が多孔性セルロースから脱着され、エアゾール容器内で発泡し、次いで押ボタンからフォームが噴射された。
×１：エアゾール組成物の液相部が、エアゾール容器内で発泡し、次いで押ボタンからフォームが勢いよく飛び散りながら噴射された。
×２：バルブで詰まり噴射できなくなった。
【００８１】
（エアゾール組成物の残量）
エアゾール製品を、２５℃の恒温水槽に正立状態で１時間浸漬し、その後、噴射し続け（エアゾールバルブを開放状態で維持する）、噴射できなくなったときのエアゾール容器内の残量を算出し、以下の評価基準に基づいて評価した。エアゾール組成物の残量は、２０質量％以下であれば実用に適する。
＜評価基準＞
○：残量は、１０質量％以下であった。
△：残量は、１１〜２０質量％であった。
×：残量は、２１質量％を超えた。
【００８２】
（多孔性セルロースの飽和吸着量）
多孔性セルロースを充填した透明なポリエチレンテレフタレート製のエアゾール容器に、表２に示す原液と液化ガスからなるエアゾール組成物を充填し、エアゾール容器内にエアゾール組成物の液相が出来るまで充填し、２５℃において１ｇの多孔性セルロースが、エアゾール組成物を吸着できる容量を算出した。
【００８３】
（エアゾール組成物／多孔性セルロース）
エアゾール容器に充填した多孔性セルロースに吸着されているエアゾール組成物の液体組成物の容量を表２および表３の多孔性セルロース、エアゾール組成物（原液および液化石油ガス）の充填量から算出した。
【００８４】
【表２】
0006626637.tif 000003
【００８５】
表２に示されるように、実施例１〜４のエアゾール製品は、いずれも内容物の安定性が優れ、かつ、噴射状態も良好であった。また、実施例１〜４のエアゾール製品は、エアゾール組成物の残量が少なかった。
【００８６】
一方、比較例１のエアゾール製品は、内容物の安定性が劣り、かつ、噴射時に飛び散った。また、比較例２のエアゾール製品は、バルブの詰まりを生じた。なお、比較例２の多孔性セルロースの飽和吸着量（ｍｌ／ｇ）およびエアゾール組成物／多孔性セルロース（ｍｌ／ｇ）の値は繊維状セルロースを用いた時の値である。
【００８７】
（処方例１）溶媒が油の例
ポリエチレンテレフタレート製の耐圧容器に、多孔性セルロース（＊１）８ｇを収容した。また、以下の処方にしたがって調製した原液Ｂ１２ｇ（１２．９ｍL）を充填し、バルブを固着して密封した。次いで、バルブから液化石油ガス（＊２）２ｇ（３．５ｍＬ）を充填し、エアゾール製品を製造した。
【００８８】
＜原液Ｂ＞
ポリグリセリルラウレート（＊６）                                ３．０
ポリグリセリルオレエート（＊７）                                ３．０
トリ（カプリル酸／カプリン酸）グリセリル（＊８）              ３０．０
オリーブ油  （＊９）                                          ６４．０
合計                                                        １００．０（質量％）
＊６：サンソフトＱ−１２Ｄ（商品名）、太陽化学（株）製
＊７：サンソフトＡ−１７３Ｅ（商品名）、太陽化学（株）製
＊８：クロダモルＧＴＣＣ（商品名）、クローダジャパン（株）製
＊９：クロピュアＯＬ（商品名）、クローダジャパン（株）製
【００８９】
（処方例２）
使用した原液および液化ガスの割合を表３に示される割合に変更した以外は、実施例１と同様の方法によりエアゾール製品を製造した。
【００９０】
処方例１〜２で得られたそれぞれのエアゾール組成物を充填した容器本体に、噴射ボタンをそれぞれ取り付けた。得られたエアゾール製品について、内容物の安定性、噴射状態および残量を評価した。結果を表３に示す。
【００９１】
【表３】
0006626637.tif 000004
【００９２】
表３に示されるように、処方例１〜２のエアゾール製品は、いずれも内容物の安定性が優れ、かつ、噴射状態も良好であった。
【符号の説明】
【００９３】
１  エアゾール製品
２  容器本体
３  バルブ
４  噴射ボタン
４１  噴射孔
５  多孔性セルロース
【図１】
0006626637.tif 000005